(57)【要約】【課題】光モジュールをホスト装置のケージに対して着脱する際に、光コネクタが装着された状態での着脱が阻止されるとともに、部品点数が少なく低コスト化が可能な構成の光モジュールを提供する。【解決手段】複数の電子部品を搭載する回路基板を収納する本体部３と、本体部３に接続し光コネクタ８を着脱可能に収納する光コネクタ受納部１０を有するレセプタクル部材２と、レセプタクル部材２に回動可能に支持されるアクチュエータ１１とを有する。アクチュエータ１１は、光コネクタ８が光コネクタ受納部１０に収納されている状態で光コネクタ８を係合する光コネクタ係合凹部を備え、光コネクタが光コネクタ係合凹部に係合することで、アクチュエータ１１の回動が阻止されるように構成される。【選択図】図１
2006154594.tif 000002
【特許請求の範囲】
【請求項１】
ホストシステムのケージ内に着脱可能に収納され、光コネクタとの間で光信号を送受し、前記ホストシステムとの間で電気信号を送受する光モジュールであって、
複数の電子部品を搭載する回路基板を収納する本体部と、該本体部に接続し前記光コネクタを着脱可能に収納する光コネクタ受納部を有するレセプタクル部材と、該レセプタクル部材に回動可能に支持されるアクチュエータとを有し、
前記アクチュエータは、前記光コネクタが前記光コネクタ受納部に収納されている状態で前記光コネクタを係合する光コネクタ係合凹部を備え、前記光コネクタが前記光コネクタ係合凹部に係合することで、前記アクチュエータの回動が阻止されることを特徴とする光モジュール。
【請求項２】
前記アクチュエータは、ベース部と、該ベース部から第１の方向に突出し前記光コネクタ係合凹部が形成された取手と、前記ベース部に接続し、前記第１の方向とは反対の第２の方向に突出し前記ケージと係合する係合突起を有する作用部と、前記ベース部と前記作用部とを分かち前記第１及び該第２の方向とは異なる第３の方向に突出する支軸とを備え、
前記光コネクタが前記光コネクタ受納部に収納された時に、前記光コネクタ係合凹部に係合され、前記アクチュエータの前記支軸を中心とした回動が阻止され、前記係合突起と前記ケージとの係合が維持されることを特徴とする請求項１に記載の光モジュール。
【請求項３】
前記ベース部は、さらに前記第３の方向に突出する係合突片を備え、前記レセプタクル部材は、前記係合突片を収納する弾性変位可能な支持アームを備えていることを特徴とする請求項２に記載の光モジュール。
【請求項４】
前記光コネクタ受納部は、それぞれ前記光コネクタを受納する少なくとも二つの開口を備えており、前記取手は前記二つの開口を区画する壁部を延長するように位置していることを特徴とする請求項２又は３に記載の光モジュール。
【請求項５】
前記光コネクタ受納部は開口を有し、前記取手は前記開口を囲むベール形状である、請求項２及び３に記載の光モジュール。
【発明の詳細な説明】
【技術分野】
【０００１】
本発明は、光ＬＡＮ等の高速光通信の送受信器として用いるような光トランシーバ等の光モジュールに関する。
【背景技術】
【０００２】
光トランシーバは、発光素子と受光素子を備え、光コネクタを介して光を送受信する光モジュールで、複数の電子部品、電子回路及び回路基板が収納される本体部と、光コネクタが着脱可能に接続されるレセプタクル部とを有している。この光トランシーバは、例えば、ホスト装置のケージに着脱可能に挿入されて、ケージの奥部に配された電気コネクタと電気的に接続されるとともに、ケージ内への挿入がロックされる。
【０００３】
光トランシーバとケージとの着脱機構としては、例えば、特許文献１に開示のように、アクチュエータと回転可能なベール（取手）とを別々に形成し、これを本体部のカバーに備えられたバネ部で押えるようにして本体に組み付ける構成のものが知られている。この構成は、ベールを定常位置から着脱可能な位置に回動することにより、ベールのカム部でアクチュエータを回動して、アクチュエータの係止突起をケージの係止孔から脱出させることで着脱できるようにしている。また、光コネクタが光トランシーバに装着されている状態では、ベールを回動できないようにもされている。
【０００４】
また、特許文献２に開示のように、バー形状のレバーアームと、このレバーアームの回動によりスライドされるアクチュエータを、光トランシーバの本体に組み付ける構成のものが知られている。この構成は、レバーアームを定常位置から回動させてから押すことで、スライド部材を前後方向に移動させ、アクチュエータの係止突起をケージの係止孔から外れるようにして着脱を可能にしている。また、光コネクタは、レバーアームの位置に関係なく装着、取り外しができるようになっている。
【特許文献１】米国特許第６４３９９１８号明細書
【特許文献２】米国特許出願公開２００３／１９８０２６号明細書
【発明の開示】
【発明が解決しようとする課題】
【０００５】
上記特許文献１及び２の何れも、光トランシーバの着脱機構に係わる構成が複雑で、部品点数が多くコスト低減が難しい構造となっている。光トランシーバをホスト装置のケージに着脱するに際して、システムの安全性の面から、以下のようなことが求められている。
１）光通信状態（光コネクタが装着された状態）で、光トランシーバをケージから取り外すことができないこと。これは、光通信の送受が行なわれている状態で、ホスト装置から光トランシーバを外すことによりシステムに誤動作が生じるのを避けるためである。
２）光通信状態（光コネクタが装着された状態）で、光トランシーバをケージに挿入することができないこと。これは、光トランシーバに光信号が送られている状態で、ホスト装置に接続すると、この場合もシステムに誤動作が生じ、また過発光で装置故障を招くことがある。
【０００６】
このようなシステム保護の観点から見ると、上記特許文献１においては、光コネクタを装着している状態ではベールの回動ができない。この結果、光コネクタが装着された状態では、光トランシーバを取り外すことができない。しかし、ベールの定常位置が、奥まった位置にあり、高密度実装で多数のケージが上下方向に配列収納されているような場合は、ベールにアクセスし難くいという問題がある。すなわち、隣接するケージにトランシーバが係合し、且つ、これらトランシーバに光コネクタが装着された状態では、目的とするトランシーバをケージから外すために、そのベールに指を掛けることが困難となってしまう問題がある。また、アクチュエータは、ベールとは独立して回動可能であるため、光コネクタが装着された状態で光トランシーバをケージに挿入することも可能で、上記の２）については実現されていない。
【０００７】
また、上記特許文献２についても、レバーアームを光コネクタの一部と係合させる構造とすることにより、光コネクタを装着している状態ではベールの回動が阻止される。この結果、光コネクタが装着された状態では、光トランシーバを取り外すことができない。しかし、アクチュエータはレバーアームの操作とは独立して動作可能であるため、光コネクタが装着された状態で光トランシーバをケージに挿入することも可能で、上記の２）については実現されていない。
【０００８】
本発明は、上述した実情に鑑みてなされたもので、光モジュールをホスト装置のケージに対して着脱する際に、光コネクタが装着された状態での着脱が阻止されるとともに、部品点数が少なく低コスト化が可能な構成の光モジュールの提供を課題とする。
【課題を解決するための手段】
【０００９】
本発明による光モジュールは、複数の電子部品を搭載する回路基板を収納する本体部と、本体部に接続し光コネクタを着脱可能に収納する光コネクタ受納部を有するレセプタクル部材と、レセプタクル部材に回動可能に支持されるアクチュエータとを有する。アクチュエータは、光コネクタが光コネクタ受納部に収納されている状態で光コネクタを係合する光コネクタ係合凹部を備え、光コネクタが光コネクタ係合凹部に係合することで、アクチュエータの回動が阻止されるように構成される。
【００１０】
また、アクチュエータは、ベース部と、ベース部から第１の方向に突出し光コネクタ係合凹部が形成された取手と、ベース部に接続し第１の方向とは反対の第２の方向に突出しケージと係合する係合突起を有する作用部と、ベース部と作用部とを分かち第１及び第２の方向とは異なる第３の方向に突出する支軸とを備える。光コネクタが光コネクタ受納部に収納された時に、光コネクタ係合凹部に係合され、アクチュエータの支軸を中心とした回動が阻止され、係合突起とケージとの係合が維持されるように構成される。ベース部は、さらに第３の方向に突出する係合凸片を備え、レセプタクル部材は、係合凸片を収納する弾性変位可能な支持アームを備えている。なお、取手は、単一のバー形状又はベール形状で形成することができる。
【発明の効果】
【００１１】
本発明によれば、アクチュエータは取手と一体となって駆動され、取手に光コネクタとの係合部が形成されているので、光コネクタが装着されている状態においては、光モジュールをケージから取り外すこと、或いは、ケージへ挿入することが確実に阻止される。また、アクチュエータと取手は、一体構造であるため、部品点数が少なく機構を簡略にして低コスト化が可能となる。
【発明を実施するための最良の形態】
【００１２】
図１は本発明の概略を説明する図である。図中、１は光モジュール、２はレセプタクル部材、３は本体部、４は回路基板、４ａはエッジコネクタ、５はケージ、６はジャックコネクタ、７は係止孔、８は光コネクタ、８ａはラッチ部、８ｂはブーツ、９は光ファイバコード、１０は光コネクタ受納部、１１はアクチュエータ、１２は取手を示す。
【００１３】
本発明による光モジュール１とは、例えば、光トランシーバとして形成され、レセプタクル部材２の後部に本体部３が繋がった断面矩形の長方形体に形成される。光モジュール１内には、発光素子、受光素子等の光部品、光信号の送受信を行なうための増幅素子等の電子部品や電子回路、及び、これらを実装するための回路基板を備えている。回路基板４は、本体部３の後方に延び、その後端にエッジコネクタ４ａを有している。この光モジュール１が、ホスト装置（図示せず）のケージ５内に挿入され、ケージ５の奥部に配されたジャックコネクタ６に、上記のエッジコネクタ４ａが挿入されて電気的に接続される。
【００１４】
レセプタクル部材２は、発光素子及び受光素子等を実装し、光コネクタ８により光ファイバコード９と光学的に接続され、光信号の送受信が行なわれる。このため、レセプタクル部材２の前部には、光コネクタ８が差し込まれる一対の開口からなる光コネクタ受納部１０が設けられている。光コネクタ８は、例えば、光ファイバコード９の導入部をブーツ８ｂで保護し、ラッチ部８ａで光コネクタ受納部１０への装着が係止されるタイプ（例えば、ＬＣコネクタ）のものが用いられる。
【００１５】
レセプタクル部材２には、光モジュール１をケージ５内に挿入して、挿入をロックするためのアクチュエータ１１が取り付けられる。このアクチュエータ１１は、ベース部１１ａに取手１２が一体ないしは一体的に形成されていて、この取手１２を駆動することによりアクチュエータ１１が回動されるように、レセプタクル部材２の下面側で回動可能に支持される。また、取手１２には、光コネクタ８との係合部が設けられていて、光コネクタ８が光コネクタ受納部１０に装着されている状態においては、取手１２の駆動が不可となってアクチュエータ１１の回動が阻止されるように構成される。
【００１６】
一方、ケージ５の前部には係止孔７が設けられていて、後述するようにアクチュエータ１１の係止突起（図１には図示されず）を係止させて、光モジュール１の挿入状態がロックされる。光モジュール１がケージ５内にロックされている状態から光モジュール１を取り外す場合に、アクチュエータ１１の回動が阻止されていると、ケージ５の係止孔７とのアクチュエータ１１の係止状態を解除することができず、光モジュール１の取り外しが不可となる。また、光モジュール１をケージ５に挿入する際に、アクチュエータ１１の回動が阻止されていると、アクチュエータ１１の係止突起がケージ５の挿入口に当たって挿入が不可となる。
【００１７】
図２及び図３は、アクチュエータ１１とレセプタクル部材２の詳細を説明する図である。図２は斜め上方から見た図で、図２（Ａ）はレセプタクル部材２を示す図、図２（Ｂ）はアクチュエータ１１を示す図、図２（Ｃ）はレセプタクル部材２とアクチュエータ１１の組み付け状態を示す図である。図３は斜め下方から見た図で、図３（Ａ）はレセプタクル部材２を示す図、図３（Ｂ）はアクチュエータ１１を示す図、図３（Ｃ）はレセプタクル部材２とアクチュエータ１１の組み付け状態を示す図である。図中、２はレセプタクル部材、１０は光コネクタ受納部、１１はアクチュエータ、１１ａはベース部、１１ｂは作用部、１２は取手、１２ａは突出部、１３は支軸、１４は係合突片、１５はコネクタ係合凹部、１６はヘッド、１７は支持アーム、１８は軸支凹部、１９は取手収納部、２０は係止突起を示す。
【００１８】
レセプタクル部材２は、樹脂成形で形成され、光モジュールの前部（手前側）に配される。図２（Ａ）及び図３（Ａ）に示すように、このレセプタクル部材２には、光コネクタが装着される光コネクタ受納部１０が形成されていると共に、アクチュエータ１１を回動可能に支持するための支持アーム１７、及び、取手１２を収納する取手収納部１９等が形成されている。支持アーム１７は、レセプタクル部材２の下面側の両サイドに弾性変位可能な片持梁状に一体又は一体化されて形成され、その奥部にアクチュエータ１１の支軸１３を受ける軸支凹部１８が設けられている。なお、支持アーム１７は、バネ性を有する金属片で形成しレセプタクル部材２に一体化するようにしてもよい。
【００１９】
アクチュエータ１１は、図２（Ｂ）及び図３（Ｂ）に示すように、ベース部１１ａと、このベース部１１ａから第１の方向に突出し光コネクタ係合凹部が形成された取手１２と、ベース部１１ａに接続し、第１の方向と反対の第２の方向に突出し、前述したゲージに係合する係止突起２０を有する作用部１１ｂを備えている。これらベース部１１ａ、作用部１１ｂ、取手１２は、金属又は樹脂等の材料により一体又は一体化された一つの部品として形成される。
【００２０】
なお、一体化とは、全体を成形等で一体形成する以外に、部分的に形成されたものを、一体に形成したのと同様な形態に組み付けられたものを意図するものである。例えば、ベース部１１ａ，作用部１１ｂと取手１２を別々に形成したとしても接着、融着等で一体とした場合や、一部（例えば、支軸１３）を金属で形成し、他を樹脂で成形した場合であっても、それぞれが独立した動きをしない場合は、一体化された一つの部品として扱うことができる。本発明において、一体形成とは、このような一体化されたものも含めた意味で使用するものとする。
【００２１】
アクチュエータ１１のベース部１１ａは、比較的厚めで剛性を有するように形成され、取手１２の一体形成を容易にする。しかし、作用部１１ｂはベース部１１ａよりは薄く形成する。ベース部１１ａと作用部１１ｂを分かつ部分には、支軸１３が前記の第１及び第２の方向とは異なる第３の方向に突出するように設けられ、レセプタクル部材２の支持アーム１７に形成された軸支凹部１８に収納される。また、ベース部１１ａの両側には、係合突片１４が同じく第３の方向に突き出るようにして設けられ、支持アーム１７とレセプタクル部材２との隙間部分に保持される。作用部１１ｂの先端には、ケージの係止孔７（図１参照）に係止して光モジュールの挿入をロックする係止突起２０が設けられる。
【００２２】
取手１２は、例えば、ベース部１１ａの平面に対して直交するように一体形成され、アクチュエータ１１の回動と一緒になって回動される。取手１２の頂部には、指で操作しやすくするためのヘッド１６が設けられ、側面部には、光コネクタの筐体壁に形成された凸部が係合するコネクタ係合凹部１５が設けられている。なお、コネクタ係合凹部１５の形成で、取手１２の一部に突出部１２ａを設けて強度を補強する。突出部１２ａは、レセプタクル部材２側に取手収納部１９等を設けることで収めることができる。
【００２３】
レセプタクル部材２とアクチュエータ１１とは、図２（Ｃ）及び図３（Ｃ）に示すように、レセプタクル部材２の前部に取手１２が位置するように組み付けられる。アクチュエータ１１の支軸１３は、レセプタクル部材２の支持アーム１７に形成された軸支凹部１８に、支持アーム１７を弾性的に押し開いて装着され、アクチュエータ１１を回動可能に支持する。
【００２４】
係合突片１４は、支持アーム１７とレセプタクル部材２との隙間部分に挟まれるようにして保持される。そして、定常時は、支持アーム１７により係合突片１４を弾性的に支持し、レセプタクル部材２の下面に対しアクチュエータ１１がほぼ水平な定常位置（安定位置）になるようにしている。また、取手１２は、突出部１２ａが取手収納部１９に収まるようにレセプタクル部材２の前面に接し、少なくと二つの開口を備える光コネクタ受納部１０の開口を区画する壁部を延長するように位置して保持される。
【００２５】
上述したようにアクチュエータ１１は、レセプタクル部材２の前部側から支軸１３を支持アーム１７を弾性的に押し開いて押しこむだけの操作で組み付けることができ、取手１２はアクチュエータ１１と一体形成で設けられているため、取手組み付けのための追加の作業はなく、組み立てが簡単となる。また、取手１２は、レセプタクル部材の前部側（手前側）に位置するようになるので、光モジュールの前方から操作することが容易で、光モジュールを高密度に配列した場合でも、その着脱を容易に行なうことができる。
【００２６】
図４は、光モジュールの光コネクタ受納部に光コネクタが装着されていない状態で、光モジュールをケージに対して着脱する際の動作を説明する図である。図４（Ａ）は光モジュールがケージ内に挿入されロックされている状態を示す図、図４（Ｂ）は光モジュールをケージに着脱するときの状態を示す図である。図中の符号は、図１〜図３で用いたのと同じ符号を用いることにより説明を省略する。
【００２７】
図４（Ａ）に示すように、光モジュール１がケージ５に挿入され、アクチュエータ１１の先端の係止突起２０がケージ５の係止孔７に係止してロックされているとする。この場合、アクチュエータ１１の支軸１３が軸支凹部１８に支持され、係合突片１４が支持アーム１７により保持されて、アクチュエータ１１は、レセプタクル部材２の下面に沿ってほぼ平行な安定位置に保たれる。また、取手１２は、アクチュエータ１１に対してほぼ直交する形態でレセプタクル部材２の前面に平行に接し、安定位置に収められた状態に保たれる。
【００２８】
図４（Ｂ）に示すように、光モジュール１をケージ５から取り外す場合、図４（Ａ）の状態から取手１２のヘッド１６を押し下げ、又は、手前に傾動させることにより、アクチュエータ１１は支軸１３を支点として回動される。この状態は、アクチュエータ１１の係合突片１４で支持アーム１７の自由端側を弾性的に押し下げることを許容することで得られる。アクチュエータ１１が回動することにより、係止突起２０はケージ５の係止孔７から脱出しロック状態が解除される。このロック解除の状態で、光モジュール１をケージ５から引き抜くことにより、光モジュール１を容易に取り外すことができる。
【００２９】
また、光モジュール１をケージ５内に挿入するときは、係止突起２０がケージ５の挿入口に当たる。このとき、光モジュール１を少し強めに押し込むことにより、係止突起２０がケージ５の内壁面に乗り上げ、アクチュエータ１１は、係合突片１４が支持アーム１７を弾性的に押し下げ、支軸１３を支点として回動される。取手１２は、アクチュエータ１１と共に回動されるが、光コネクタが装着されていないので、フリーに回動できる状態となっていて、図４（Ｂ）に示すような状態で光モジュール１をケージ５内に挿入することができる。ただし、この状態は、取手１２のヘッド１６を押し下げるのではなく、係止突起２０をケージ５の内壁面に乗り上げさせることにより得られる。
【００３０】
この後、係止突起２０が係止孔７の位置に達するまで挿入されたとき、支持アーム１７の弾性により係合突片１４が押し上げられて元の位置に戻され、アクチュエータ１１は、図４（Ａ）の定常状態に戻され、係止突起２０が係止孔７に落ち込んで、その係止状態がロックされる。このときのアクチュエータ１１の動作は、支持アーム１７の弾性によって得られるが、その弾性力が強すぎるとアクチュエータ１１の回動が難しくなり、弱すぎると戻りが鈍くなりロック機構が働いたのか否かの検知がし難くなる。
【００３１】
本発明では、支持アーム１７の弾性力でアクチュエータ１１と取手１２が戻るときに、衝撃音を発するようにするのが好ましい。具体的な構成としては、例えば、係止突起２０が係止孔７に落ち込んで、取手１２が元の位置に戻ったときに、取手１２のヘッド１６がレセプタクル部材２の上部壁、又は、取手１２の側面がレセプタクル部材２の前部壁に当たって衝撃音を発するようにすることで実現することができる。
【００３２】
図５は、光モジュールの光コネクタ受納部１０に光コネクタ８が装着された状態で、光モジュールを着脱する場合について説明する図である。図５（Ａ）は光コネクタ受納部にラッチ付きの光コネクタ８が装着されている状態を示す図、図５（Ｂ）は光コネクタと取手が部分的に係合する状態を示す部分拡大図、図５（Ｃ）は取手を駆動してもアクチュエータを回動できない状態を示す図である。図中の符号は、図１〜図３で用いたのと同じ符号を用いることにより説明を省略する。
【００３３】
図５（Ａ）及び図５（Ｂ）は、光モジュールのレセプタクル部材２に設けられた光コネクタ受納部１０に、光コネクタ８を装着し、ラッチ部８ａにより装着がラッチされている状態を示している。光コネクタ８の後部には、ブーツ８ｂにより光ファイバコードが導出され、光コネクタ８の側面には、例えば、係合凸部８ｃが設けられている。この係合凸部８ｃは、単一のバー形状で形成された取手１２の両側面に形成したコネクタ係合凹部１５に係合される。
【００３４】
光コネクタ８の係合凸部８ｃは、例えば、接続方向の位置決め等に用いられるもので、この係合凸部８ｃの受け部は、通常は光コネクタ受納部１０に形成される。しかし、本発明においては、アクチュエータ１１と一体に駆動される取手１２の側面に、係合凸部８ｃの受け部としてコネクタ係合凹部１５を形成し、光コネクタ８が装着された状態では、取手１２の駆動が阻止されるように構成されている。
【００３５】
図５（Ｃ）は、取手１２の駆動が阻止される状態を示している。すなわち、光コネクタ８が装着されている状態で、アクチュエータ１１を回動させるために取手１２を押し下げ又は手前側に引いても、この駆動が光コネクタ８によって阻止される。したがって、アクチュエータ１１を図４（Ｂ）のように回動させることができず、光コネクタ８を装着したままで、光モジュールを着脱させることが防止され、システムを安全に保つことができる。
【００３６】
図６は、取手をベール形状で形成した例を示す図である。図６（Ａ）は光モジュールのレセプタクル部材にベール形状の取手を組み付けた状態を示す図、図６（Ｂ）は光コネクタ受納部に光コネクタが装着されている状態を示す図である。図中、２１は取手、２１ａは連結バー、２１ｂは駆動バー、２２はコネクタ係合凹部を示す。その他の符号は、図１〜図３で用いたのと同じ符号を用いることにより説明を省略する。
【００３７】
図１〜図５では、取手をアクチュエータの中央部から直立するような単一のバー形状で形成した例で説明したが、図６に示すようなベール形状の取手２１としてもよい。この取手２１は、連結バー２１ａの両端に駆動バー２１ｂを有し、駆動バー２１ｂの他端はアクチュエータ１１のベース部両端に一体に結合されている。アクチュエータ１１の取手以外の構成は、図１〜図５で説明した形状のものと同じものを用いることができ、支軸１３及び係合突片１４を有している。また、レセプタクル部材２の下面側に支持アーム１７を設け、支持アーム１７の奥部に設けた軸支凹部１８に支軸１３を収納し、アクチュエータ１１を回動可能に支持している。
【００３８】
取手２１の両側の駆動バー２１ｂには、コネクタ係合凹部２２が形成されていて、図６（Ｂ）に示すように、光コネクタ８の係合凸部８ｃが挿入されて、光コネクタ受納部１０に装着され、ラッチ部８ａにより装着がラッチされる。光コネクタ８が装着されていない図６（Ａ）の状態のときは、取手２１の連結バー２１ａを指で摘んで手前側に回動させることにより、図４（Ｂ）で説明したようにアクチュエータ１１を回動させ、光モジュールをケージに着脱させることができる。
【００３９】
しかし、図６（Ｂ）のように、光コネクタ８が装着されている場合は、光コネクタ８の係合凸部８ｃが駆動バー２１ｂのコネクタ係合凹部２２に係合しているため、取手２１を回動させることができない。このため、図５（Ｃ）で説明したのと同様に、アクチュエータ１１を回動させることができず、光モジュールをケージから取り外したり、ケージ内に挿入させることが阻止される。
【００４０】
図１〜図６においては、レセプタクル部材の光コネクタ受納部１０に装着される光コネクタ８は、いずれもラッチ部を有する形状のものを用いた例である。ラッチ部を有する光コネクタは、ラッチを解除しない限り取り外すことができないので、上述した取手に力を加えるだけでは、光コネクタが光コネクタ受納部から抜け出すことはない。この結果、取手の駆動が確実に阻止され、光コネクタが装着状態にある限り、光モジュールの着脱は確実に阻止することができる。
【００４１】
しかし、ラッチ部を有しない光コネクタが用いられる場合であっても、本発明の構成を適用することは可能である。図７は、光コネクタがラッチ部を有しない光コネクタ（例えば、ＭＵコネクタ）に対する例を説明する図である。図７（Ａ）は従来のラッチ部を有しない光コネクタが装着される光モジュールの例を示す図、図７（Ｂ）は本発明によりアクチュエータを適用する例を示す図である。図中、２’はレセプタクル部材、２５は光コネクタ受納部、２６は凹部、２３は取手、２３ａは連結バー、２３ｂは駆動バー、２４はコネクタ係合凹部を示し、その他の符号は、図１〜図３で用いたのと同じ符号を用いることにより説明を省略する。
【００４２】
例えば、ラッチ部を有しない光コネクタの光コネクタ受納部２５は、通常、図７（Ａ）に示すように光コネクタ側に設けた係合凸部が挿通される凹部２６が設けられている。この凹部２６は、光コネクタの接続方向や接続のガイドとして必要とされるものである。本発明では、ラッチ部を有しない光コネクタを装着するのに必要な光コネクタ受納部の構成の一部を、アクチュエータの取手部側に形成することで、光コネクタとの一体性を高め、ラッチ部を有しない光コネクタを用いる場合でも、適用可能としている。
【００４３】
具体的に、図７（Ｂ）に示すように、アクチュエータ１１に一体に設けられる取手２３を、例えば、図６に示したのと同様なベール形状のもので形成する。取手２３は、連結バー２３ａの両端に駆動バー２３ｂを有し、駆動バー２１ｂの他端は、アクチュエータ１１の両端に一体に結合されて構成される。アクチュエータ１１のベース部は、図１〜図６で説明した形状のものと同じものを用いることができ、支軸１３及び係合突片１４を有している。また、レセプタクル部材２の下面側に支持アーム１７を設け、支持アーム１７の奥部に設けた軸支凹部１８に支軸１３を収納し、アクチュエータ１１を回動可能に支持している。
【００４４】
取手２３の連結バー２３ａには、図７（Ａ）の光コネクタ受納部２５の凹部２６に相当するコネクタ係合凹部２４を設け、光コネクタがこのコネクタ係合凹部２４に係合凸部を係合させることで装着ができるようにする。光コネクタ受納部１０にラッチ部なしの光コネクタが装着されている場合でも、取手２３のコネクタ係合凹部２４と光コネクタの係合凸部とが嵌合状態にあるので、取手２３の回動が阻止されることとなる。この結果、図４，図５の例と同様に、光コネクタが装着状態にある限り、光モジュールの着脱は確実に阻止することができる。
【図面の簡単な説明】
【００４５】
【図１】本発明の概略を説明する図である。
【図２】本発明によるアクチュエータを説明するための斜め上方から見た図である。
【図３】本発明によるアクチュエータを説明するための斜め下方から見た図である。
【図４】光モジュールを着脱する場合について説明する図である。
【図５】光コネクタの装着状態で光モジュールを着脱する場合について説明する図である。
【図６】取手にベール形状のものを用いる例を示す図である。
【図７】ラッチ部を有しない光コネクタを装着する形態について説明する図である。
【符号の説明】
【００４６】
１…光モジュール、２，２’…レセプタクル部材、３…本体部、４…回路基板、４ａ…エッジコネクタ、５…ケージ、６…ジャックコネクタ、７…係止孔、８…光コネクタ、８ａ…ラッチ部、８ｂ…ブーツ、８ｃ…係合凸部、９…光ファイバコード、１０…光コネクタ受納部、１１…アクチュエータ、１１ａ…ベース部、１１ｂ…作用部、１２…取手、１２ａ…突出部、１３…支軸、１４…係合突片、１５…コネクタ係合凹部、１６…ヘッド、１７…支持アーム、１８…軸支凹部、１９…取手収納部、２０…係止突起、２１，２３…取手、２１ａ，２３ａ…連結バー、２１ｂ，２３ｂ…駆動バー、２２，２４…コネクタ係合凹部、２５…光コネクタ受納部、２６…凹部。
【図１】
2006154594.tif 000003
【図２】
2006154594.tif 000004
【図３】
2006154594.tif 000005
【図４】
2006154594.tif 000006
【図５】
2006154594.tif 000007
【図６】
2006154594.tif 000008
【図７】
2006154594.tif 000009